(57)【特許請求の範囲】
【請求項１】
位置情報と情報単位別の記録データが多重記録され、所定の再生出力レートを得る速度より高速で回転される光ディスクに光ビームを照射し、反射ビームを受光して記録信号の検出を行う光検出手段と、光ディスク上の読み取りトラックと光ビームの照射位置との誤差を示すトラッキングエラー信号を作成し、該トラッキングエラー信号に基づき光ビームの照射位置の修正制御をするトラッキングサーボ手段と、光ディスクの信号面と光ビームの合焦点との誤差を示すフォーカスエラー信号を作成し、該フォーカスエラー信号に基づき光ビームの合焦点の修正制御をするフォーカスサーボ手段と、光ディスク上の読み取りトラックと光検出手段の位置との誤差を示すスレッドエラー信号を作成し、該スレッドエラー信号に基づき光検出手段の位置の修正制御をするスレッドサーボ手段と、光検出手段の検出出力から光ディスクの記録データと位置情報を復調して出力する信号処理手段と、を含む記録データ読み取り手段と、
記録データを所定量記憶する容量を有する記憶手段と、
信号処理手段から高レートで出力された記録データを記憶手段に書き込み、該記憶手段から連続的に、所定の再生出力レートを得るレートで読み出して出力し、記憶手段が記録データで満杯になれば、書き込みを中断して満杯通知信号を発生し、記憶手段の残データ量が所定の基準量Ｗ以下になると、空き発生通知信号を発生する書き込み／読み出し制御手段と、
満杯通知信号が発せられると、信号処理手段から現在の読み取り位置情報を入力して記憶するとともに、記録データ読み取り手段の全部または一部に対し休止制御をし、空き発生通知信号が発せられると、記録データ読み取り手段に対し稼働開始制御と前回の最後の読み取り位置のサーチ制御をし、サーチ完了後、信号処理手段に記録データの復調出力を再開させ、書き込み／読み出し制御手段に書き込み動作を再開させる再生制御手段と、
を含み、
前記光ディスクに記録された各情報単位は、各々、アドレス順にデータが連続的に記録された１つの連続記録区間で構成されるかまたは組み合わせ順序が決められた複数の連続記録区間の組み合わせで構成されるとともに、光ディスクには情報単位別に、情報単位を構成する連続記録区間の位置と１つの情報単位が複数の連続記録区間の組み合わせで構成されている場合の組み合わせ順序を示す管理情報が記録されており、
前記書き込み／読み出し制御手段が用いる基準量Ｗを可変とし、
更に、前記再生制御手段は、満杯通知信号が発せられたとき、信号処理手段から入力した現在の読み取り位置情報を、事前に光ディスクから読み出しておいた管理情報と照合し、読み取り中であった連続記録区間の終了位置から一定以内に入っているか否か判別し、前記終了位置から一定以内に入っている場合、書き込み／読み出し制御手段が用いる基準量Ｗを大きくさせ、前記終了位置から一定以内に入っていない場合、基準量Ｗを小さくさせるようにしたこと、
を特徴とする光ディスク再生装置。
【請求項２】
位置情報と情報単位別の記録データが多重記録され、所定の再生出力レートを得る速度より高速で回転される光ディスクに光ビームを照射し、反射ビームを受光して記録信号の検出を行う光検出手段と、光ディスク上の読み取りトラックと光ビームの照射位置との誤差を示すトラッキングエラー信号を作成し、該トラッキングエラー信号に基づき光ビームの照射位置の修正制御をするトラッキングサーボ手段と、光ディスクの信号面と光ビームの合焦点との誤差を示すフォーカスエラー信号を作成し、該フォーカスエラー信号に基づき光ビームの合焦点の修正制御をするフォーカスサーボ手段と、光ディスク上の読み取りトラックと光検出手段の位置との誤差を示すスレッドエラー信号を作成し、該スレッドエラー信号に基づき光検出手段の位置の修正制御をするスレッドサーボ手段と、光検出手段の検出出力から光ディスクの記録データと位置情報を復調して出力する信号処理手段と、を含む記録データ読み取り手段と、
記録データを所定量記憶する容量を有する記憶手段と、
信号処理手段から高レートで出力された記録データを記憶手段に書き込み、該記憶手段から連続的に、所定の再生出力レートを得るレートで読み出して出力し、記憶手段が記録データで満杯になれば、書き込みを中断して満杯通知信号を発生し、記憶手段の残データ量が所定の基準量Ｗ以下になると、空き発生通知信号を発生する書き込み／読み出し制御手段と、
満杯通知信号が発せられると、信号処理手段から現在の読み取り位置情報を入力して記憶するとともに、記録データ読み取り手段の全部または一部に対し休止制御をし、空き発生通知信号が発せられると、記録データ読み取り手段に対し稼働開始制御と前回の最後の読み取り位置のサーチ制御をし、サーチ完了後、信号処理手段に記録データの復調出力を再開させ、書き込み／読み出し制御手段に書き込み動作を再開させる再生制御手段と、
を含み、
前記光ディスクに記録された各情報単位は、各々、アドレス順にデータが連続的に記録された１つの連続記録区間で構成されるかまたは組み合わせ順序が決められた複数の連続記録区間の組み合わせで構成されるとともに、光ディスクには情報単位別に、情報単位を構成する連続記録区間の位置と１つの情報単位が複数の連続記録区間の組み合わせで構成されている場合の組み合わせ順序を示す管理情報が記録されており、
前記書き込み／読み出し制御手段が用いる基準量Ｗを可変とし、
更に、前記再生制御手段は、満杯通知信号が発せられたとき、信号処理手段から入力した現在の読み取り位置情報を、事前に光ディスクから読み出しておいた管理情報と照合し、読み取り中であった連続記録区間の終了位置から一定以内に入っているか否か判別し、前記終了位置から一定以内に入っていない場合は基準量Ｗを小さくさせ、前記終了位置から一定以内に入っている場合は更に、読み取り中であった連続記録区間の終了位置が次に再生すべき連続記録区間の開始位置と光ディスク上で物理的に連続しているか否か判別し、物理的に連続している場合は基準量Ｗを小さくさせ、物理的に連続していない場合は基準量Ｗを大きくさせるようにしたこと、
を特徴とする光ディスク再生装置。
【発明の詳細な説明】
【０００１】
【発明の属する技術分野】
本発明は光ディスク再生装置に係り、とくに、ＭＤ（ミニディスク）プレーヤなどで位置情報と圧縮音楽データや圧縮画像データなどの所定の情報単位の記録データが多重記録され、所定の再生出力レートが得られる速度より高速で回転される光ディスクから、記録データを間歇的に高レートで読み出してメモリに書き込み、該メモリから連続的に所定の再生出力レートが得られるレートで読み出すようにした光ディスク再生装置に関する。
【０００２】
【従来の技術】
記録用ＭＤ（ＭＤ−ＭＯ；Ｍｉｎｉ  Ｄｉｓｃ−Ｍａｇｎｅｔ  Ｏｐｔｉｃａｌ）には、内周から外周に掛けてスパイラル状に形成されたトラックのレコーダブル領域の内、プログラム領域（ユーザ記録領域）に、位置情報であるアドレス（アドレスは０００１クラスタの０３セクタの如く、クラスタ位置とセクタ位置の組み合わせで表現される。１クラスタ＝３６セクタ）と記録データとしての圧縮音楽データが多重記録されている。圧縮音楽データは曲単位を情報単位にして記録されている。記録用ＭＤを再生するＭＤプレーヤは、スピンドルモータにより記録用ＭＤを線速度一定で回転させ、光ピックアップから発射した光ビームをフォーカスサーボで信号面に合焦させるとともに、トラッキングサーボとスレッドサーボでトラックのトレースをさせ、この状態で、スピンドルモータ、光ピックアップ、ヘッドアンプ、ディジタル信号処理回路、各種サーボ系を含む読み取り系により、記録用ＭＤから読み取った圧縮音楽データを伸長して出力するようになっている。このＭＤプレーヤには、ショックで音飛びが生じないようにするためのショックプルーフ機能が設けられている。
【０００３】
すなわち、３秒〜１０秒ぶん程度の圧縮音楽データを記憶可能で、再生中は連続的に所定の再生出力レート（伸長後の音楽データの規格上の出力レートあり、ＭＤプレーヤの場合、４４．１ｋＨｚ  のサンプリング周波数に相当）が得られるレートで圧縮音楽データが読み出されるショックプルーフメモリ（ＤＲＡＭ）が装備されている。そして、記録用ＭＤを、所定の再生出力レートを得るのに必要な線速度より、約５倍速い一定の線速度で回転し、読み取り系により、当該記録用ＭＤから記録データを高レートで読み出してショックプルーフメモリに書き込む。ショックプルーフメモリへの書き込みレートが読み出しレートより約５倍高く、ショックプルーフメモリは直ぐに満杯となる。すると、ショックプルーフメモリへの書き込みと記録用ＭＤからの圧縮音楽データの読み取りを一時的に中断し、光ピックアップで最後に圧縮音楽データの読み取りを行った記録用ＭＤ上の位置情報を記憶しておく。
【０００４】
その後、ショックプルーフメモリからの読み出しの継続で、残データ量が所定の基準量Ｗ以下になり、所定量の空きが生じると、前回最後に圧縮音楽データを読み取った位置をサーチし、サーチ後再び記録用ＭＤから、記録データを高レートで読み出してショックプルーフメモリに書き込むという動作を繰り返す。若し、ショックが発生したとき、ショックプルーフメモリへの書き込みを中断し、ショックプルーフメモリにデータが残っている間に、ショック発生直前の読み取り位置をサーチし、サーチ完了後、圧縮音楽データの読み取りとショックプルーフメモリへの書き込みを再開することで、音飛びの発生を防止できる。Ｗは、ショックが発生したとき、ショック発生からショック発生直前の読み取り位置のサーチを完了するまでに必要な最小限の時間分以上に設定してある。
【０００５】
完全にブランクな記録用ＭＤに、初めて３つの曲（トラック）を録音させたとき、プログラム領域の内周側から外周側にかけて曲番（トラックナンバ）ＴＮＯ＝１〜３の曲が、各々１つずつの連続記録区間（アドレス順に圧縮音楽データが連続的に記録された区間。パートとも呼ばれる）Ａ、Ｂ、Ｃに分かれて記録され、プログラム領域の内周側に存在するＵＴＯＣ（Ｕｓｅｒ  Ｔａｂｌｅ  Ｏｆ  Ｃｏｎｔｅｎｔｓ）  領域に、曲別に、曲番と曲を構成する連続記録区間のスタート位置及びエンド位置のアドレスとが対応付けられてＵＴＯＣ情報（ディスクの管理情報）として記録用ＭＤのＵＴＯＣ領域に記録される（図７（１））。記録済の曲は編集可能であり、１番目のＴＮＯ＝１の曲の削除をすると、連続記録区間Ａについての情報がクリアされ、Ｂ、Ｃが各々、曲番ＴＮＯ＝１、２の曲に変更されたＵＴＯＣ情報が記録される（図７（２））。更に、曲番１と２の曲の結合をすると、Ｂが曲番１の曲の最初の連続記録区間、Ｃが曲番１の曲の２番目の連続記録区間に変更されたＵＴＯＣ情報が記録される（図７（３））。このＵＴＯＣ情報から曲番１の曲を構成する連続記録区間ＢとＣの位置と組み合わせ順序が判る。
【０００６】
この状態で新たに１曲録音すると、最初、プログラム領域の一番内周寄りのブランク領域の先頭のアドレスａから記録されていき、連続記録区間Ｂのスタート位置の直前のアドレスｂまでを連続記録区間Ａとして記録が進むと、次に内周寄りのブランク領域の先頭のアドレスｇに飛んで記録が継続される。そして、アドレスｇからアドレスｈまでが連続記録区間Ｄとして記録されて曲の録音が終わると、Ａが曲番２の曲の最初の連続記録区間、Ｄが曲番２の曲の２番目の連続記録区間として追加したＵＴＯＣ情報が記録される（図８（１））。このあと、曲番１と２の入れ換えを行うと、Ａが曲番１の曲の最初の連続記録区間、Ｄが曲番１の曲の２番目の連続記録区間、Ｂが曲番２の曲の最初の連続記録区間、Ｃが曲番２の曲の２番目の連続記録区間に変更されたＵＴＯＣ情報が記録される（図８（２））。このＵＴＯＣ情報から曲番１の曲を構成する連続記録区間ＡとＤの位置と組み合わせ順序が判り、曲番２の曲を構成する連続記録区間ＢとＣの位置と組み合わせ順序が判る。
【０００７】
ＭＤプレーヤは、記録済の記録用ＭＤがセットに装填されると、ＵＴＯＣ領域に記録されたディスクの管理情報であるＵＴＯＣ情報を読み出して一時記憶しておく。そして、ＰＬＡＹキーが押されて順次再生が指示されれば、先に読み出したＵＴＯＣ情報を参照して最小曲番の曲から順に再生していく。この際、再生対象の曲を構成する連続記録区間が１つであればスタート位置をサーチして圧縮音楽データの読み取りを開始し、当該連続記録区間のエンド位置まで読み取りを終われば、次の曲の最初の連続記録区間のスタート位置をサーチして読み取りを開始する。曲を構成する連続記録区間が複数のｎ個存在するとき、最初の連続記録区間のスタート位置をサーチして読み取りを開始し、当該最初の連続記録区間のエンド位置まで読み取りを終われば、２番目の連続記録区間のスタート位置をサーチして読み取りを開始し、２番目の連続記録区間のエンド位置まで読み取りを終われば、３番目の連続記録区間のスタート位置をサーチして読み取りを開始するという具合にしてｎ番目の連続記録区間のエンド位置まで読み取りを終われば、次の曲の最初の連続記録区間のスタート位置をサーチして読み取りを開始する。
【０００８】
【発明が解決しようとする課題】
ところで、携帯用ＭＤプレーヤでは連続再生時間を長くするために余計な電力消費を防止することが重要であり、ショックプルーフメモリが満杯になって記録用ＭＤからの圧縮音楽データの読み取りを一時的に中断している間、トラッキングサーボ系を含む読み取り系全体を休止させるか、または読み取り系の一部（トラッキングサーボ系を含む）を休止させて無駄な電力消費を抑制するようにしている。
【０００９】
記録用ＭＤの再生中、記録用ＭＤの或る曲の或る連続記録区間のエンド位置近くから読み取り系で圧縮音楽データを読み取ってショックプルーフメモリに書き込んでいる最中に、ショックプルーフメモリが満杯になると、次に残データ量がＷ以下となり、一定量以上の空きが発生したため読み取りを再開したとき、直ぐに連続記録区間のエンド位置に来るので、次に再生すべき連続記録区間のスタート位置をサーチして読み取りを開始することになる。この次に再生すべき連続記録区間のスタート位置がそれまで読み取っていた連続記録区間のエンド位置より離れているとサーチに時間が掛かるので、ショックプルーフメモリの残データ量がどんどん減って遂には残データがなくなってしまい、音切れが発生してしまう場合があった。
この音切れを防止するためにＷを大きくすることが考えられるが、読み取り系の稼働と休止のサイクルが早くなり、また、１回当たりの休止期間も短くなるので、電力消費の抑制が難しくなってしまう。
本発明は上記した従来技術の問題に鑑み、音飛びの防止と無駄な電力消費の抑制の両立を図れる光ディスク再生装置を提供することを、その目的とする。
【００１０】
【課題を解決するための手段】
本発明の請求項１記載の光ディスク再生装置では、位置情報と情報単位別の記録データが多重記録され、所定の再生出力レートを得る速度より高速で回転される光ディスクに光ビームを照射し、反射ビームを受光して記録信号の検出を行う光検出手段と、光ディスク上の読み取りトラックと光ビームの照射位置との誤差を示すトラッキングエラー信号を作成し、該トラッキングエラー信号に基づき光ビームの照射位置の修正制御をするトラッキングサーボ手段と、光ディスクの信号面と光ビームの合焦点との誤差を示すフォーカスエラー信号を作成し、該フォーカスエラー信号に基づき光ビームの合焦点の修正制御をするフォーカスサーボ手段と、光ディスク上の読み取りトラックと光検出手段の位置との誤差を示すスレッドエラー信号を作成し、該スレッドエラー信号に基づき光検出手段の位置の修正制御をするスレッドサーボ手段と、光検出手段の検出出力から光ディスクの記録データと位置情報を復調して出力する信号処理手段と、を含む記録データ読み取り手段と、記録データを所定量記憶する容量を有する記憶手段と、信号処理手段から高レートで出力された記録データを記憶手段に書き込み、該記憶手段から連続的に、所定の再生出力レートを得るレートで読み出して出力し、記憶手段が記録データで満杯になれば、書き込みを中断して満杯通知信号を発生し、記憶手段の残データ量が所定の基準量Ｗ以下になると、空き発生通知信号を発生する書き込み／読み出し制御手段と、満杯通知信号が発せられると、信号処理手段から現在の読み取り位置情報を入力して記憶するとともに、記録データ読み取り手段の全部または一部に対し休止制御をし、空き発生通知信号が発せられると、記録データ読み取り手段に対し稼働開始制御と前回の最後の読み取り位置のサーチ制御をし、サーチ完了後、信号処理手段に記録データの復調出力を再開させ、書き込み／読み出し制御手段に書き込み動作を再開させる再生制御手段と、を含み、前記光ディスクに記録された各情報単位は、各々、アドレス順にデータが連続的に記録された１つの連続記録区間で構成されるかまたは組み合わせ順序が決められた複数の連続記録区間の組み合わせで構成されるとともに、光ディスクには情報単位別に、情報単位を構成する連続記録区間の位置と１つの情報単位が複数の連続記録区間の組み合わせで構成されている場合の組み合わせ順序を示す管理情報が記録されており、前記書き込み／読み出し制御手段が用いる基準量Ｗを可変とし、更に、前記再生制御手段は、満杯通知信号が発せられたとき、信号処理手段から入力した現在の読み取り位置情報を、事前に光ディスクから読み出しておいた管理情報と照合し、読み取り中であった連続記録区間の終了位置から一定以内に入っているか否か判別し、前記終了位置から一定以内に入っている場合、書き込み／読み出し制御手段が用いる基準量Ｗを大きくさせ、前記終了位置から一定以内に入っていない場合、基準量Ｗを小さくさせるようにしたこと、を特徴としている。
請求項１記載の装置によれば、光ディスクに記録された各情報単位は、各々、アドレス順にデータが連続的に記録された１つの連続記録区間で構成されるかまたは組み合わせ順序が決められた複数の連続記録区間の組み合わせで構成されるとともに、光ディスクには情報単位別に、情報単位を構成する連続記録区間の位置と１つの情報単位が複数の連続記録区間の組み合わせで構成されている場合の組み合わせ順序を示す管理情報が記録してある。光ディスクの再生中、記録データ読み取り手段が光ディスクから読み取った記録データを、書き込み／読み出し制御手段が所定の高レートで記憶手段に書き込み、所定の再生出力レートを得るレートで読み出して出力する。記憶手段が記録データで満杯になれば、書き込み／読み出し制御手段は書き込みを中断し、満杯通知信号を発し、該通知信号を受けた再生制御手段は、信号処理手段から現在の読み取り位置情報を入力して記憶するとともに、記録データ読み取り手段の全部または一部に対し休止制御をする。その後、記憶手段からの記録データの読み出しで残データ量が基準量Ｗ以下になると、書き込み／読み出し制御手段は空き発生通知信号を発し、該通知信号を受けた再生制御手段は、記録データ読み取り手段に対し稼働開始制御と前回の最後の読み取り位置のサーチ制御をし、サーチ完了後、信号処理手段に記録データの復調出力を再開させ、書き込み／読み出し制御手段に書き込み動作を再開させる。基準量Ｗは可変でき、記憶手段が記録データで満杯になったとき、信号処理手段から入力した現在の読み取り位置情報を、事前に光ディスクから読み出しておいた管理情報と照合し、読み取り中であった連続記録区間の終了位置から一定以内に入っているか否か判別し、前記終了位置から一定以内に入っている場合大きくさせ、前記終了位置から一定以内に入っていない場合小さくさせる。これにより、連続記録区間の終了位置から一定以内に入っていない箇所を再生中のときは、読み取り系の休止期間が長くなるとともに、稼働と休止のサイクル周期が長くなるので、電力消費を抑制できる。また、たまたま、記憶手段が記録データで満杯になったとき、読み取り中であった連続記録区間の終了位置から一定以内に入っていれば早めに読み取り系の稼働が再開されるので、次に読み取るべき連続記録区間の先頭が離れていても記憶手段に残データが存在する間に確実に、次に読み取るべき連続記録区間の先頭のサーチを完了して読み取りを再開でき、音切れが生じない。
本発明の請求項２記載の光ディスク再生装置では、位置情報と情報単位別の記録データが多重記録され、所定の再生出力レートを得る速度より高速で回転される光ディスクに光ビームを照射し、反射ビームを受光して記録信号の検出を行う光検出手段と、光ディスク上の読み取りトラックと光ビームの照射位置との誤差を示すトラッキングエラー信号を作成し、該トラッキングエラー信号に基づき光ビームの照射位置の修正制御をするトラッキングサーボ手段と、光ディスクの信号面と光ビームの合焦点との誤差を示すフォーカスエラー信号を作成し、該フォーカスエラー信号に基づき光ビームの合焦点の修正制御をするフォーカスサーボ手段と、光ディスク上の読み取りトラックと光検出手段の位置との誤差を示すスレッドエラー信号を作成し、該スレッドエラー信号に基づき光検出手段の位置の修正制御をするスレッドサーボ手段と、光検出手段の検出出力から光ディスクの記録データと位置情報を復調して出力する信号処理手段と、を含む記録データ読み取り手段と、記録データを所定量記憶する容量を有する記憶手段と、信号処理手段から高レートで出力された記録データを記憶手段に書き込み、該記憶手段から連続的に、所定の再生出力レートを得るレートで読み出して出力し、記憶手段が記録データで満杯になれば、書き込みを中断して満杯通知信号を発生し、記憶手段の残データ量が所定の基準量Ｗ以下になると、空き発生通知信号を発生する書き込み／読み出し制御手段と、満杯通知信号が発せられると、信号処理手段から現在の読み取り位置情報を入力して記憶するとともに、記録データ読み取り手段の全部または一部に対し休止制御をし、空き発生通知信号が発せられると、記録データ読み取り手段に対し稼働開始制御と前回の最後の読み取り位置のサーチ制御をし、サーチ完了後、信号処理手段に記録データの復調出力を再開させ、書き込み／読み出し制御手段に書き込み動作を再開させる再生制御手段と、を含み、前記光ディスクに記録された各情報単位は、各々、アドレス順にデータが連続的に記録された１つの連続記録区間で構成されるかまたは組み合わせ順序が決められた複数の連続記録区間の組み合わせで構成されるとともに、光ディスクには情報単位別に、情報単位を構成する連続記録区間の位置と１つの情報単位が複数の連続記録区間の組み合わせで構成されている場合に組み合わせ順序を示す管理情報が記録されており、前記書き込み／読み出し制御手段が用いる基準量Ｗを可変とし、更に、前記再生制御手段は、満杯通知信号が発せられたとき、信号処理手段から入力した現在の読み取り位置情報を、事前に光ディスクから読み出しておいた管理情報と照合し、読み取り中であった連続記録区間の終了位置から一定以内に入っているか否か判別し、前記終了位置から一定以内に入っていない場合は基準量Ｗを小さくさせ、前記終了位置から一定以内に入っている場合は更に、読み取り中であった連続記録区間の終了位置が次に再生すべき連続記録区間の開始位置と光ディスク上で物理的に連続しているか否か判別し、物理的に連続している場合は基準量Ｗを小さくさせ、物理的に連続していない場合は基準量Ｗを大きくさせるようにしたこと、を特徴としている。
請求項２記載の装置によれば、記憶手段が記録データで満杯になったとき、信号処理手段から入力した現在の読み取り位置情報を、事前に光ディスクから読み出しておいた管理情報と照合し、読み取り中であった連続記録区間の終了位置から一定以内に入っているか否か判別し、前記終了位置から一定以内に入っていない場合は基準量Ｗを小さくさせ、前記終了位置から一定以内に入っている場合は更に、読み取り中であった連続記録区間の終了位置が次に再生すべき連続記録区間の開始位置と物理的に連続しているか否か判別し、物理的に連続している場合は基準量Ｗを小さくさせ、物理的に連続していない場合は基準量Ｗを大きくさせる。これにより、連続記録区間の終了位置から一定以内に入っていない箇所を再生中、または、連続記録区間の終了位置から一定以内に入っているが、次に再生すべき連続記録区間の先頭位置が離れていない場合、読み取り系の休止期間が長くなるとともに、稼働と休止のサイクル周期が長くなるので、電力消費を抑制できる。また、たまたま、記憶手段が記録データで満杯になったとき、読み取り中であった連続記録区間の終了位置から一定以内に入っており、かつ、次に読み取るべき連続記録区間の先頭が離れていても、読み取り系の休止期間が短くなるので、記憶手段に残データが存在する間に確実に次に読み取るべき連続記録区間の先頭のサーチを完了でき、音切れが生じない。
【００１１】
【発明の実施の形態】
次に、本発明の一つの実施の形態を図１を参照して説明する。
図１は本発明に係る電池給電式の携帯用ＭＤプレーヤの構成を示すブロック図である。
１は記録用ＭＤであり、内周から外周に掛けてスパイラル状に形成されたトラックの内、プログラム領域に位置情報であるアドレスと曲別の圧縮音楽データとが多重記録されている。曲別に、曲を構成する連続記録区間の位置と順序を示す管理情報（ＵＴＯＣ情報）はプログラム領域の内周側のＵＴＯＣ領域に記録されている。２は記録用ＭＤ１を、所定の再生出力レートが得られる必要な線速度より約５倍速い一定の線速度で回転させるスピンドルモータであり、図示しないスピンドルサーボ系により回転制御される。３は光ピックアップであり、記録用ＭＤ１の現在の読み取りトラックに光ビームを照射し、反射ビームを受光して光検出信号を出力する。光ピックアップ３には対物レンズ３ａを記録用ＭＤ１に対し垂直方向に移動させるフォーカスアクチュエータ３ｃと、対物レンズ３ａを記録用ＭＤ１のディスク半径方向へ移動するトラッキングアクチュエータ３ｂを含んでいる。
【００１２】
４はヘッドアンプであり、光ピックアップ３の光検出信号からＲＦ信号を作成する回路（図示せず）、光ピックアップ３の光検出信号から記録用ＭＤ１のディスク垂直方向に見た光ビームの合焦点と再生用ＭＤ１の信号面との誤差を示すフォーカスエラー信号ＦＥを作成する回路（図示せず）、光ピックアップ３の光検出信号から記録用ＭＤ１のディスク半径方向に見た光ビームの照射位置と記録用ＭＤ１の読み取りトラックとの誤差を示すトラッキングエラー信号ＴＥを作成する回路（図示せず）を有しており、ＲＦ信号、フォーカスエラー信号ＦＥ、トラッキングエラー信号ＴＥを出力する。ヘッドアンプ４はショックによるＲＦ信号の異常を監視し、異常が発生したときショック検出信号ＳＫを出力する機能も有している。
【００１３】
５はディジタル信号処理回路であり、ヘッドアンプ４からＲＦ信号を入力し、プログラム領域の記録データである圧縮音楽データと位置情報であるアドレスを復調して出力したり、ＵＴＯＣ領域の記録データであるＵＴＯＣ情報と位置情報であるアドレスを復調して出力したりする。６はフォーカス制御回路であり、フォーカスサーボオン中はフォーカスエラー信号ＦＥを入力し、位相補償とゲイン調整を行ってドライバ７へ出力する。ドライバ７はフォーカスアクチュエータ３ｃのフォーカスコイルを駆動し、光ビームの合焦点と記録用ＭＤ１の信号面との誤差を打ち消す方向に対物レンズ３ａを移動する。フォーカス制御回路６は、フォーカスオフ状態でフォーカスサーチをし、フォーカスサーボをオンする機能を有している。ヘッドアンプ４のフォーカスエラー信号ＦＥを作成する回路、フォーカス制御回路６、ドライバ７、フォーカスアクチュエータ３ｃにより、フォーカスサーボ系が構成されている。
【００１４】
８はトラッキング制御回路であり、トラッキングサーボオン中はトラッキングエラー信号ＴＥを入力し、位相補償とゲイン調整を行ってドライバ９へ出力する。ドライバ９はトラッキングアクチュエータ３ｂのトラッキングコイルを駆動し、光ビームの照射位置と記録用ＭＤ１のトラックとのディスク半径方向の誤差を打ち消す方向に対物レンズ３ａを移動する。トラッキング制御回路８は、トラッキングサーボオフ状態からトラッキングサーボをオンしたり、システムコントローラのサーチ制御に従い、光ビームの照射位置を所望方向に所望量だけトラックジャンプさせたりする機能も有している。ヘッドアンプ４のトラッキングエラー信号ＴＥを作成する回路、トラッキング制御回路８、ドライバ９、トラッキングアクチュエータ３ｂにより、トラッキングサーボ系が構成されている。
【００１５】
１０はドライバ９の出力の低域成分を取り出し、記録用ＭＤ１の読み取り中のトラックと光ピックアップ３の位置（トラッキングサーボがオフし、対物レンズ３ａがディスク半径方向に見て中立位置に復帰したときの対物レンズ３ａの光軸）とのディスク半径方向の誤差（スレッドエラー）に比例したスレッドエラー信号ＳＥを作成するフィルタ、１１はマイコン構成のスレッド制御回路であり、スレッドエラー信号ＳＥを入力し、該スレッドエラー信号ＳＥの大きさが所定のしきい値を越えると、ドライバ１２に駆動信号を出力し、スレッドモータ１３を駆動させて、スレッドエラーを打ち消す方向に所定の一定量だけ光ピックアップ３を移動させ、ほぼスレッドエラーを零とさせる。また、スレッド制御回路１１は、システムコントローラのサーチ制御に従い、ドライバ１２に駆動信号を出力してスレッドモータ１３を駆動させ、光ピックアップ３を所望方向に所望量だけ移動させる機能も有している。フィルタ１０、スレッド制御回路１１、ドライバ１２、スレッドモータ１３によりスレッドサーボ系が構成されている。
【００１６】
スピンドルモータ２、光ピックアップ３、ヘッドアンプ４、ディジタル信号処理回路５と、フォーカスサーボ、トラッキングサーボ、スレッドサーボ、スピンドルサーボ等の各種サーボ系とにより圧縮音楽データの読み取り系が構成されている。この圧縮音楽データの読み取り系は、記録用ＭＤ１の再生中、節電の為、システムコントローラの制御で休止状態に移行したり、休止状態から稼働を再開したりする。
【００１７】
１４は圧縮音楽データを３〜１０秒ぶん程度記憶可能な容量を有するショックプルーフメモリとしてのＤＲＡＭ、１５はマイコン構成のショックプルーフメモリコントローラであり、再生中、ＤＲＡＭ１４から、所定の再生出力レート（後述するＡＴＲＡＣデコーダからの音楽データの規格上の出力レートであり、ＭＤプレーヤの場合、４４．１ｋＨｚ  のサンプリング周波数に相当）が得られるレートで連続的に圧縮音楽データを読み出して後段へ出力する。また、ショックプルーフメモリコントローラ１５は再生中、ディジタル信号処理回路５から、読み出しレートの約５倍の高レートで出力される圧縮音楽データをＤＲＡＭ１４に書き込み、該ＤＲＡＭ１４が圧縮音楽データで満杯になると書き込みを中断して満杯通知信号を発生してシステムコントローラに出力する。そして、その後の圧縮音楽データの読み出しでＤＲＡＭ１４の残データ量が所定の基準量（これをＷとする）以下となり、ＤＲＡＭ１４に所定量以上の空きが生じると空き発生通知信号を出力し、このあと書き込み許可通知信号が有ると、圧縮音楽データの書き込みを再開する。また、ショックプルーフメモリコントローラ１５は、ＤＲＡＭ１４への書き込み中にショックの発生で書き込み中断指令を受けると、書き込み動作を中断し、その後、書き込み再開指令を受けると書き込み動作を再開する。Ｗは、システムコントローラによりＷ１  とＷ２  （但し、Ｗ１  とＷ２  は所定の固定値であり、Ｗ１  ＜Ｗ２  の関係にある）の間で切り換えられる。
【００１８】
１６は圧縮音楽データを伸長し、所定の再生出力レート（規格で定められた４４．１ｋＨｚ  のサンプリング周波数）で音楽データを出力するＡＴＲＡＣデコーダ、１７は音楽データをＤ／Ａ変換して出力するＤ／Ａ変換器である。ＤＲＡＭ１４、ショックプルーフメモリコントローラ１５、ＡＴＲＡＣデコーダ１６、Ｄ／Ａ変換器１７は、記録用ＭＤ１の再生中、つねに稼働状態とされる。
【００１９】
１８はマイコン構成のシステムコントローラであり、全体的な再生制御動作を司る。すなわち、プログラム領域の再生をする際、ＤＲＡＭ１４、ショックプルーフメモリコントローラ１５、ＡＴＲＡＣデコーダ１６、Ｄ／Ａ変換器１７は継続的に稼働状態として、ショックプルーフメモリコントローラ１５にはＤＲＡＭ１４から連続的に所定の再生出力レートが得られるレートで圧縮音楽データを読み出しＡＴＲＡＣデコーダ１６へ出力させる。一方、スピンドルモータ２、光ピックアップ３、ヘッドアンプ４、ディジタル信号処理回路５、各種サーボ系から成る読み取り系は稼働状態と休止状態を交互に繰り返させ、読み取り系の稼働中に記録用ＭＤ１を、所定の再生出力レートが得られる線速度の約５倍の一定線速度で回転させながら、当該再生用ＭＤ１から、圧縮音楽データを高レート（所定の再生出力レートが得られるレートの約５倍）で読み取らせ、ショックプルーフメモリコントローラ１５によりＤＲＡＭ１４に書き込ませる。読み取り系の稼働中にショックが発生したときは、ショックプルーフメモリコントローラ１５に書き込みを中断させる一方で、読み取り系を制御してショック発生の直前に圧縮音楽データを読み取っていたアドレスをサーチさせ、サーチ完了後、読み取り系に圧縮音楽データの読み取りを再開させると同時にショックプルーフメモリコントローラ１５に書き込みを再開させる。
【００２０】
また、システムコントローラ１８は、読み取り系を休止させる際、直前の読み取り位置をＵＴＯＣ情報と照合し、それまで読み取り中であった連続記録区間のエンド位置より２クラスタ以内の近い位置か否か判別し、ＹＥＳであればショックプルーフメモリコントローラ１５がＤＲＡＭ１４の空き発生の判別に用いる基準量をＷ１  に切り換えさせ、ＮＯであればショックプルーフメモリコントローラ１６が空き発生の判別に用いる基準量をＷ２  に切り換えさせる。
【００２１】
この実施の形態では、Ｗ１  は記録用ＭＤ１のプログラム領域から圧縮音楽データの読み取り中にショックが発生したとき、ショクが発生してからショック発生直前の読み取り位置のサーチ完了までに必要な最小限の時間分ｗａ  （ショックが発生してからショック発生直前の読み取り位置のサーチ完了までに必要な最小限の時間をＴａ  としたとき、ｗａ  ＝Ｔａ  ／Ｔ１  の圧縮音楽データ個数）と、記録用ＭＤ１のプログラム領域からの圧縮音楽データの読み取りを休止した状態から読み取り再開するため、読み取り系の稼働を開始してからポーズ位置のサーチを完了するまでに必要な最小限の時間分ｗｂ  （読み取り系の稼働を開始してからポーズ位置のサーチを完了するまでに必要な最小限の時間をＴｂ  としたとき、ｗｂ  ＝Ｔｂ  ／Ｔ１  の圧縮音楽データ個数）の内、いずれか大きい方（これをｗｃ  とする）に設定されている。またＷ２  はプログラム領域の圧縮音楽データの読み取り中に、任意位置で読み取りを中断し、他の任意位置をサーチし読み取りを再開する際に、サーチ開始から完了までに必要な最小限の時間分ｗｄ  （サーチ開始から完了までに必要な最小限の時間をＴｄ  として、ｗｄ  ＝Ｔｄ  ／Ｔ１  の圧縮音楽データ個数）とｗｃ  との和に設定されている。
【００２２】
また、システムコントローラ１８は、記録用ＭＤ１が装填されると、読み取り系を制御して、ＵＴＯＣ領域に記録されたＵＴＯＣ情報を読み取らせ、内蔵メモリ（図示せず）に記憶する。
【００２３】
図２と図３はシステムコントローラ１８による再生制御処理を示すフローチャート、図４と図５はショックプルーフメモリコントローラ１５の書き込み／読み出し制御処理を示すフローチャートであり、以下、これらの図を参照してこの実施の形態の動作を説明する。なお、記録用ＭＤ１の記録内容は図８（２）の如くであるとし、記録用ＭＤ１からＵＴＯＣ情報が読み取られてシステムコントローラ１８の内蔵メモリに格納された状態で、各部が休止状態に有り、ＤＲＡＭ１４にはデータが何も存在しないものとする。また、ＡＴＲＡＣデコーダ１６が伸長後の音楽データを規格上のレートで出力するために必要な圧縮音楽データの入力周期をＴ１  とする。
【００２４】
光ピックアップ３がプログラム領域の先頭位置で待機した状態で、ユーザがＰＬＡＹキー（図示せず）を押して再生指令を与えると、システムコントローラ１８は、スピンドルモータ２、光ピックアップ３、ヘッドアンプ４、ディジタル信号処理回路５、各種サーボ系から成る読み取り系と、ＤＲＡＭ１４、ショックプルーフメモリコントローラ１５、ＡＴＲＡＣデコーダ１６、Ｄ／Ａ変換器１７、図示しないパワーアンプに対し稼働開始制御をして稼働状態とする（図２のステップＳ１０）。フォーカスサーボ系のフォーカス制御回路６は稼働状態に移行する際、最初にフォーカスサーチをしてフォーカスサーボをオンする。トラッキングサーボ系のトラッキング制御回路８は稼働状態に移行する際、最初にトラッキングエラー信号ＴＥが負帰還領域に入っているときにトラッキングサーボをオンする。これにより、ヘッドアンプ４からＲＦ信号が出力される。ディジタル信号処理回路５は稼働状態に移行すると、ＲＦ信号からＣＬＶ制御信号を生成してスピンドルモータ２のドライバ（図示せず）に出力し、スピンドルモータ２が記録用ＭＤ１を、所定の再生出力レートが得られる線速度より約５倍速い一定の線速度で回転させる。
【００２５】
ステップＳ１０に続き、システムコントローラ１８はＵＴＯＣ情報を参照して読み取り系を制御し、１曲目の最初の連続記録区間Ａのスタート位置ａをサーチさせ、サーチ完了後、ショックプルーフメモリコントローラ１５に対し書き込み許可通知信号を送る（ステップＳ１１、Ｓ１２）。そして、ディジタル信号処理回路５に圧縮音楽データの復調動作を開始させ、ＲＦ信号から圧縮音楽データを復調してショックプルーフメモリコントローラ１５へ出力させる（ステップＳ１３）。ディジタル信号処理回路５は圧縮音楽データの復調中、アドレスの復調も行っている。システムコントローラ１５はアドレスを入力し、ＵＴＯＣ情報を参照して、現在の読み取り位置が現在読み取り中の連続記録区間Ａのエンド位置ｂに達したか判別する（ステップＳ１４）。
【００２６】
ＮＯであれば、ショックプルーフメモリコントローラ１５から満杯通知信号が入力されたかのチェックと、ショックが発生してショック検出信号ＳＫが入力されたかのチェックをし（ステップＳ１５、図３のステップＳ３０）、いずれもＮＯであれば、ステップＳ１３に戻る。このようにして読み取り系により１曲目の最初の連続記録区間Ａのスタート位置ａから圧縮音楽データとアドレスの読み取りが暫く継続する。トラッキングサーボ系の働きで光ビームがトラックをトレースしていくので、ディスク半径方向に見た対物レンズ３ａの平均的な位置は、次第に記録用ＭＤ１の半径方向外側に移動していき、フィルタ１０から出力されるスレッドエラー信号ＳＥの示す誤差（スレッドエラー）は−方向（ここではディスク半径方向外側を＋とする）へ次第に大きくなっていく。
【００２７】
スレッド制御回路１１は稼働状態に有るとき、スレッドエラー信号ＳＥの大きさを所定のしきい値と比較し、しきい値より小さければスレッドモータ１３の回転制御はせず、光ピックアップ３の移動はしない。若し、対物レンズ３ａの移動だけによるトラックのトレースが限界近くに来て、スレッドエラー信号ＳＥの大きさが所定のしきい値より大になったときは、ドライバ１２に制御信号を出力してスレッドモータ１３を駆動させ、光ピックアップ３をスレッドエラーを打ち消す方向へ、所定の一定量だけ移動させてスレッドエラーをほぼ零とさせる。以下、同様の動作を繰り返すことで、光ビームがプログラム領域全体にわたりトラックのトレースが可能とされる。
【００２８】
一方、稼働状態になったあとのショックプルーフメモリコントローラ１５はＤＲＡＭ１４が満杯になったか否かを示すフラグＦと、ショック発生による書き込み中断中か否かを示すフラグＧをともにクリアし（図４のステップＳ４０）、その後、書き込み許可通知を受けると、ディジタル信号処理回路５から新規な圧縮音楽データが入力さたれ所でＤＲＡＭ１４に書き込む（ステップＳ４１〜Ｓ４３）。
【００２９】
次に、ＤＲＡＭ１４が圧縮音楽データで満杯になっておらず、ＤＲＡＭ１４から１度も圧縮音楽データを読み出していないので（ステップＳ４４とＳ４５でＮＯ）、ＤＲＡＭ１４から最初の圧縮音楽データを読み出しＡＴＲＡＣデコーダ１６へ出力する（ステップＳ４６）。そして、Ｇ＝１でないのでシステムコントローラ１８から書き込み中断指令を入力したかチェックし（ステップＳ４７、Ｓ４８）、ここではＮＯとなり、Ｆ＝１でもないので（ステップＳ４９でＮＯ）、ステップＳ５０に進み、次の新規な圧縮音楽データが入力されたかチェックする。ＮＯであれば、ステップＳ５１に進み、前回、圧縮音楽データを読み出してから所定の時間Ｔ１  だけ経過したかチェックし、ここでもＮＯであれば、ステップＳ４７へ進んで前述と同様の処理をする。
【００３０】
その後、次の新規な圧縮音楽データが入力されればステップＳ５０でＹＥＳと判断し、ＤＲＡＭ１４に書き込む（ステップＳ４３）。続いて、ＤＲＡＭ１４がまだ圧縮音楽データで満杯でないのでステップＳ４４でＮＯと判断し、ステップＳ４５ではＮＯとなるので、ステップＳ５１に進み、前回圧縮音楽データを読み出してから時間Ｔ１  だけ経過したかチェックし、ここでもＮＯであれば、ステップＳ４７へ進んで前述と同様の処理をする。その後、ステップＳ５１でＹＥＳとなれば、ＤＲＡＭ１４から２番目の圧縮音楽データを読み出しＡＴＲＡＣデコーダ１６へ出力する（ステップＳ４６）。以下、同様の処理を繰り返し、ＤＲＡＭ１４からＴ１  の周期で圧縮音楽データを読み出しながら、約５倍の速度で圧縮音楽データを書き込んでいく。ＡＴＲＡＣデコーダ１６は入力した圧縮音楽データを伸長し、所定の再生出力レートで伸長後の音楽データを出力する。
【００３１】
ＤＲＡＭ１４が圧縮音楽データで満杯になると（ステップＳ４４でＹＥＳ）、システムコントローラ１８に満杯通知信号を出力し、Ｆを１とする（ステップＳ５２）。Ｆ＝１になると、ショックプルーフメモリコントローラ１５はＤＲＡＭ１４への書き込みはせず（ステップＳ４９でＹＥＳとなり、ステップＳ５０へは進まない）、周期Ｔ１  での読み出しだけ継続する（ステップＳ５１、Ｓ４６）。そして、定期的にＤＲＡＭ１４の残データ量が所定の基準量Ｗ（このＷは後述するように、システムコントローラ１８からの入力があったとき、割り込み処理で可変する）以下になったかチェックし（ステップＳ５３）、ＹＥＳであれば所定量以上の空きが発生したことを示す空き発生通知信号を出力し、圧縮音楽データの読み出しは継続しながら書き込み許可通知信号が送られるのを待つ（ステップＳ５４、Ｓ５５、Ｓ５１、Ｓ４６〜Ｓ４９、Ｓ５３）。
【００３２】
満杯通知信号を受けたシステムコントローラ１８は、ディジタル信号処理回路５から入力した現在の読み取り位置を示すアドレスをポーズ位置として記憶したあと（図２のステップＳ１５、Ｓ１６）、内蔵メモリに記憶してあるＵＴＯＣ情報を参照して、ポーズ位置がそれまで圧縮音楽データを読み取っていた連続記録区間Ａのエンド位置ｂから２クラスタ以内かチェックする（ステップＳ１７）。まだＮＯであれば空きを判別する基準量としてＷ１  をショックプルーフメモリコントローラ１５に出力する（ステップＳ１８）。そして、読み取り系全体に対し休止制御をして稼働を休止させ、あとはＤＲＡＭ１４の残データ量がＷ＝Ｗ１  以下となり、ＤＲＡＭ１４に所定量以上の空きが出来るのを待つ（ステップＳ１９、Ｓ２０）。ショックプルーフメモリコントローラ１５は非常に短い周期で図５の割り込み処理を実行しており、Ｗ１  が入力されると内蔵メモリ（図示せず）に登録されているＷをＷ１  に変更する（ステップＳ６０、Ｓ６１）。
【００３３】
ＤＲＡＭ１４の残データ量がＷ＝Ｗ１  以下となり、ショックプルーフメモリコントローラ１５から空き発生通知信号を入力すると、システムコントローラ１８は、図２のステップＳ２０でＹＥＳと判断し、読み取り系全体に対し稼働開始制御をして再稼働させる（ステップＳ２１）。Ｗ１  が小さいことから、今回の読み取り系の休止期間は長くなる。ステップＳ２１に続き、読み取り系に対し先に記憶したポーズ位置のサーチ制御をし（ステップＳ２２）、サーチ完了後、ショックプルーフメモリコントローラ１５に書き込み許可通知信号を出力し、ディジタル信号処理回路５に復調出力を再開させる（ステップＳ１２、Ｓ１３）。
この際、今回のポーズ位置が読み取りを行っていた連続記録区間Ａのエンド位置ｂより２クラスタ以内に入っていないので、圧縮音楽データの読み取り再開後、すぐに連続記録区間Ａのエンド位置ｂに到達して、次に再生すべき連続記録区間のスタート位置をサーチしなければならないということはなく、圧縮音楽データの読み出しが継続してもＤＲＡＭ１４の残データ量が零になることはない。
【００３４】
書き込み許可通知を受けたショックプルーフメモリコントローラ１５は、図４のステップＳ５５でＹＥＳと判断し、Ｆをクリアする（ステップＳ５６）。この結果、ＤＲＡＭ１４への圧縮音楽データの書き込みが再開される（ステップＳ５０、Ｓ４３）。以下、同様の動作を繰り返すことで、読み取り系が間歇的に稼働し、記録用ＭＤ１のプログラム領域から間歇的に、所定の再生出力レートが得られるレートの約５倍の高レートで圧縮音楽データの読み取りがなされてＤＲＡＭ１４に書き込まれ、該ＤＲＡＭ１４から連続的に所定の再生出力レートが得られるレートで圧縮音楽データが読み出される。圧縮音楽データはＡＴＲＡＣデコーダ１６で伸長されて規格で定められた所定の再生出力レートでＤ／Ａ変換器１７に出力される。Ｄ／Ａ変換器１７は伸長後の音楽データをＤ／Ａ変換して図示しないパワーアンプに出力する。
【００３５】
このようにして、記録用ＭＤ１の１曲目の最初の連続記録区間Ａの再生が実行されていくが、エンド位置ｂから２クラスタ以内になるまでは、Ｗ１  の基準量によりＤＲＡＭ１４の空き発生の判別がなされるので、読み取り系の休止期間が長くなるとともに、稼働と休止のサイクル周期も長くなり、電力消費を大きく抑制することができる。
【００３６】
その後、現在の読み取り位置が連続記録区間Ａのエンド位置ｂから２クラスタ以内になった状態で、ＤＲＡＭ１４が満杯になり、ステップＳ１５でＹＥＳになると、システムコントローラ１８は現在位置をポーズ位置として記憶したあとステップＳ１７でＹＥＳと判断する。このとき、空き発生を判別する基準量としてＷ２  （＞Ｗ１  ）をショックプルーフメモリコントローラ１５に出力し（ステップＳ２３）、読み取り系全体に対し休止制御をして稼働を休止させたあと、ＤＲＡＭ１４の残データ量がＷ＝Ｗ２  以下となり、所定量以上の空きが出来るのを待つ（ステップＳ１９、Ｓ２０）。Ｗ２  が入力されたショックプルーフメモリコントローラ１５は図５の割り込み処理で、内蔵メモリ（図示せず）に登録されているＷをＷ２  で更新する（ステップＳ６０、Ｓ６１）。
【００３７】
ＤＲＡＭ１４の残データ量がＷ＝Ｗ２  以下となり、ショックプルーフメモリコントローラ１５から空き発生通知信号を入力すると、システムコントローラ１８は、図２のステップＳ２０でＹＥＳと判断し、読み取り系全体に対し稼働開始制御をして再稼働させる（ステップＳ２１）。Ｗ２  が大きいことから、今回の読み取り系の休止期間は短くなる。ステップＳ２１に続き、読み取り系に対し先に記憶したポーズ位置のサーチ制御をし（ステップＳ２２）、サーチ完了後、ショックプルーフメモリコントローラ１５に書き込み許可通知を与え、ディジタル信号処理回路５に復調出力を再開させる（ステップＳ１２、Ｓ１３）。
【００３８】
この際、今回のポーズ位置が先に読み取りを行っていた連続記録区間Ａのエンド位置ｂより２クラスタ以内に入っているので、圧縮音楽データの読み取り再開後、すぐに連続記録区間Ａのエンド位置ｂに到達する。すると、システムコントローラ１８はステップＳ１４でＹＥＳと判断し、ＵＴＯＣ情報を参照して曲順に見て次に再生すべき連続記録区間が存在するかチェックする（ステップＳ２４）。ここでは、１曲目の２番目の連続記録区間Ｄが該当するので、続いて今まで圧縮音楽データを読み取っていた連続記録区間Ａのエンド位置ｂと、次に再生すべき連続記録区間のスタート位置とが物理的に繋がった連続記録区間で有るか判別する（ステップＳ２５）。若し、物理的に繋がった連続記録区間であれば、トラックに沿ってそのまま読み取りを続行すれば良いので、ステップＳ１５に進むが、ここでは、連続記録区間Ａのエンド位置ｂと連続記録区間Ｄのスタート位置ｇはアドレスが離れており、ＮＯとなるので（図８（２）参照）、ショックプルーフメモリコントローラ１５に書き込み中断指令を与えてＤＲＡＭ１４への書き込み動作を中断させ、ＵＴＯＣ情報を参照して読み取り系に対し連続記録区間Ｄのスタート位置ｇのサーチ制御をし、ｇをサーチさせる（ステップＳ２６、Ｓ２７）。サーチ完了後、ショックプルーフメモリコントローラ１５に書き込み許可通知を与え、ディジタル信号処理回路５に復調出力を再開させる（ステップＳ１２、Ｓ１３）。これにより、連続記録区間Ｄに記録された圧縮音楽データに基づき、曲番１の曲の再生が継続する。
【００３９】
このように、ＤＲＡＭ１４が満杯となり、読み取り系による圧縮音楽データの読み取りを中断したときの読み取り位置が連続記録区間のエンド位置近くであったとき、該エンド位置と次に再生すべき連続記録区間のスタート位置が離れていても、ＤＲＡＭ１４の残データ量がＷ２  （＞Ｗ１  ）になると、読み取り系による圧縮音楽データの読み取りが再開されるため、読み取り系の稼働再開時にポーズ位置をサーチし、少し圧縮音楽データの読み取りをしたあと、直ぐに離れた所に有る次の連続記録区間のスタート位置のサーチを行っても、ＤＲＡＭ１４の残データ量が零となってしまうことはなく、音切れが生じることはない。
【００４０】
連続記録区間Ｄの再生に移行したあと暫くの間は、読み取り位置が連続記録区間Ｄのエンド位置ｈから離れているためＤＲＡＭ１４が満杯になり、満杯通知が有る度に、システムコントローラ１８はステップＳ１７でＮＯと判断してＷ１  を出力するため、読み取り系の休止期間が長くなるとともに読み取り系の稼働と休止のサイクルが長くなるので、電力消費を抑制することができる。
【００４１】
その後、現在の読み取り位置が連続記録区間Ｄのエンド位置ｈから２クラスタ以内になった状態で、ＤＲＡＭ１４が満杯になると、システムコントローラ１８はＷ２  を出力して読み取り系を休止させ（ステップＳ１５、Ｓ１６、Ｓ１７、Ｓ２３）、ＤＲＡＭ１４の残データ量がＷ＝Ｗ２  以下となり空き発生通知が有ると、読み取り系を再稼働させ、先に記憶したポーズ位置のサーチ制御をし、サーチ完了後、ディジタル信号処理回路５に復調出力を再開させる（ステップＳ１９〜Ｓ２２、Ｓ１２、Ｓ１３）。
【００４２】
この際、今回のポーズ位置が今まで読み取りを行っていた連続記録区間Ｄのエンド位置ｈより２クラスタ以内に入っているので、圧縮音楽データの読み取り再開後、すぐに連続記録区間Ｄのエンド位置ｈに到達する。すると、システムコントローラ１８はステップＳ１４でＹＥＳと判断し、ＵＴＯＣ情報を参照して曲順に見て次に再生すべき連続記録区間が存在するかチェックする（ステップＳ２４）。ここでは、２曲目の１番目の連続記録区間Ｂが該当するので、続いて今まで圧縮音楽データを読み取っていた連続記録区間Ｄのエンド位置ｈと次に再生すべき連続記録区間のスタート位置が物理的に繋がっているか判別する（ステップＳ２５）。若し、物理的に繋がった連続記録区間であれば、トラックに沿ってそのまま読み取りを続行すれば良いので、ステップＳ１５に進むが、ここでは、連続記録区間Ｄのエンド位置ｈと連続記録区間Ｂのスタート位置ｃはアドレスが離れており、ＮＯとなるので（図８（２）参照）、ショックプルーフメモリコントローラ１５に書き込み中断指令を与えてＤＲＡＭ１４への書き込み動作を中断させ、ＵＴＯＣ情報を参照して読み取り系に対し連続記録区間Ｂのスタート位置ｃのサーチ制御をする（ステップＳ２６、Ｓ２７）。サーチ完了後、ディジタル信号処理回路５に復調出力を再開させる（ステップＳ１２、Ｓ１３）。これにより、連続記録区間Ｂに記録された圧縮音楽データに基づき、曲番２の曲の再生が開始する。このときも、残データ量がＷ２  となったときに稼働を再開しているので、ＤＲＡＭ１４の残データ量が零となってしまうことはなく、音切れが生じることはない。
【００４３】
連続記録区間Ｂの再生に移行したあと暫くの間はエンド位置ｄが離れているためＤＲＡＭ１４が満杯になり、満杯通知が有る度に、システムコントローラ１８はステップＳ１７でＮＯと判断してＷ１  を出力するため、読み取り系の休止期間が長くなるとともに読み取り系の稼働と休止のサイクルが長くなるので、電力消費を抑制することができる。
【００４４】
その後、現在の読み取り位置が連続記録区間Ｂのエンド位置ｄから２クラスタ以内になった状態で、ＤＲＡＭ１４が満杯になると、システムコントローラ１８はＷ２  を出力して読み取り系を休止させ（ステップＳ１５、Ｓ１６、Ｓ１７、Ｓ２３）、ＤＲＡＭ１４の残データ量がＷ＝Ｗ２  以下となり空き発生通知が有ると、読み取り系を再稼働させ、先に記憶したポーズ位置のサーチ制御をし、サーチ完了後、ディジタル信号処理回路５に復調出力を再開させる（ステップＳ１９〜Ｓ２２、Ｓ１２、Ｓ１３）。
【００４５】
この際、今回のポーズ位置が先に読み取りを行っていた連続記録区間Ｂのエンド位置ｄより２クラスタ以内に入っているので、圧縮音楽データの読み取り再開後、すぐに連続記録区間Ｂのエンド位置ｄに到達する。すると、システムコントローラ１８はステップＳ１４でＹＥＳと判断し、ＵＴＯＣ情報を参照して曲順に見て次に再生すべき連続記録区間が存在するかチェックする（ステップＳ２４）。ここでは、２曲目の２番目の連続記録区間Ｃが該当するので、続いて今まで圧縮音楽データを読み取っていた連続記録区間Ｂのエンド位置ｄと次に再生すべき連続記録区間のスタート位置とが物理的に繋がっているか判別する（ステップＳ２５）。今度はＹＥＳとなるので、ステップＳ１５に進み、そのまま圧縮音楽データの読み取りを続行する。
【００４６】
連続記録区間Ｃの再生に移行したあと暫くの間はエンド位置ｆが離れているためＤＲＡＭ１４が満杯になり、満杯通知が有る度に、システムコントローラ１８はステップＳ１７でＮＯと判断してＷ１  を出力するため、読み取り系の休止期間が長くなるとともに読み取り系の稼働と休止のサイクルが長くなるので、電力消費を抑制することができる。
【００４７】
その後、現在の読み取り位置が連続記録区間Ｃのエンド位置ｆから２クラスタ以内になった状態で、ＤＲＡＭ１４が満杯になると、システムコントローラ１８はＷ２  を出力して読み取り系を休止させ（ステップＳ１５、Ｓ１６、Ｓ１７、Ｓ２３）、ＤＲＡＭ１４の残データ量がＷ＝Ｗ２  以下となり空き発生通知が有ると、読み取り系を再稼働させ、先に記憶したポーズ位置のサーチ制御をし、サーチ完了後、ディジタル信号処理回路５に復調出力を再開させる（ステップＳ１９〜Ｓ２２、Ｓ１２、Ｓ１３）。
【００４８】
この際、今回のポーズ位置が先に読み取りを行っていた連続記録区間Ｃのエンド位置ｆより２クラスタ以内に入っているので、圧縮音楽データの読み取り再開後、すぐに連続記録区間Ｃのエンド位置ｆに到達する。すると、システムコントローラ１８はステップＳ１４でＹＥＳと判断し、ＵＴＯＣ情報を参照して曲順に見て次に再生すべき連続記録区間が存在するかチェックする（ステップＳ２４）。ここでは存在しないので、ステップＳ２８へ進み、読み取り系と、ショックプルーフメモリコントローラ１５、ＡＴＲＡＣデコーダ１６、Ｄ／Ａ変換器１７、パワーアンプ等を含めた各部を休止させて、記録用ＭＤ１の再生を終える。
【００４９】
なお、再生中にショックが発生し、ヘッドアンプ４からショック検出信号ＳＫが入力されると、システムコントローラ１８は最新に入力したアドレスを復帰位置情報として一時記憶し、ショックプルーフメモリコントローラ１５に書き込み中断指令通知信号を送ったあと読み取り系に対し復帰位置へのサーチ制御をし、サーチ完了後、書き込み再開指令通知信号をショックプルーフメモリコントローラ１５へ送るとともに、圧縮音楽データの読み取りを再開させる（図３のステップＳ３０〜Ｓ３４）。
【００５０】
書き込み中断指令通知を受けたショックプルーフメモリコントローラ１５はＧを１とし（ステップＳ４８、Ｓ５７）、以降、書き込み再開指令通知を受けるまで書き込みを中断し、圧縮音楽データの読み出しだけ継続する（ステップＳ５１、Ｓ４６、Ｓ４７、Ｓ５８）。その後、読み取り系で読み取りを再開可能となり、書き込み再開指令通知を受けるとＧをクリアし、再び、圧縮音楽データの書き込みと読み出しの平行動作をする（ステップＳ５８、Ｓ５９）。
【００５１】
この実施の形態によれば、記録済の記録用ＭＤ１の再生中、システムコントローラ１８は圧縮音楽データの読み取り系に記録用ＭＤ１から圧縮音楽データを所定の高レートで読み取らせ、ショックプルーフメモリコントローラ１５にＤＲＡＭ１４へ書き込ませる。再生中、ショックプルーフメモリコントローラ１５は連続的にＤＲＡＭ１４から圧縮音楽データを所定の再生出力レートが得られるレートで読み出し、ＡＴＲＡＣデコーダ１６へ出力する。ＤＲＡＭ１４が圧縮音楽データで満杯になれば、ショックプルーフメモリコントローラ１５は書き込みを中断し、システムコントローラ１８は現在の読み取り位置をポーズ位置として記憶するとともに、圧縮音楽データの読み取り系の全部を休止させる。その後、ＤＲＡＭ１４からの圧縮音楽データの読み出しで残データ量が基準量Ｗ以下になったことがショックプルーフメモリコントローラ１５に判別されると、システムコントローラ１８は圧縮音楽データの読み取り系の稼働を開始させてまずポーズ位置をサーチさせ、サーチ完了後、ディジタル信号処理回路５に圧縮音楽データの復調出力を再開させ、ショックプルーフメモリコントローラ１５にＤＲＡＭ１４への書き込みを再開させる。基準量Ｗはシステムコントローラ１８が可変でき、ＤＲＡＭ１４が圧縮音楽データで満杯になったとき、ディジタル信号処理回路５から入力した現在の読み取り位置情報を、事前に記録用ＭＤ１から読み出しておいた管理情報（ＵＴＯＣ情報）と照合し、今まで読み取り中であった連続記録区間のエンド位置近くか否か判別し、エンド位置近くの場合大きくさせ、エンド位置近くでない場合小さくさせる。これにより、再生箇所が連続記録区間のエンド位置近くでないときは、読み取り系の休止期間が長くなるとともに、読み取り系の稼働と休止のサイクル周期が長くなるので、電力消費を抑制できる。また、たまたま、ＤＲＡＭ１４が圧縮音楽データで満杯になったとき、読み取り中であった連続記録区間のエンド位置近くであれば早めに読み取り系の稼働が再開されるので、次に読み取るべき連続記録区間の先頭が離れていてもＤＲＡＭ１４に圧縮音楽データが残っている間に確実にサーチを完了して読み取りを再開でき、音切れが生じない。
【００５２】
なお、上記した実施の形態では、記録用ＭＤの再生中に読み取り系を間歇的に休止させる際、読み取り系の全てを休止させたが、読み取り系の内、例えばトラッキングサーボ系を含む一部だけを休止させるようにしても良い。
また、図２のステップＳ１７の判別基準は何ら２クラスタ以内に限定されるものでなく、３クラスタ以内、４クラスタ以内など他の範囲でもよく、要はポーズ位置が、読み取り中であった連続記録区間のエンド位置から一定以内の近くか判別できれば良い。
【００５３】
また、ＤＲＡＭ１４が圧縮音楽データで満杯になったとき、ディジタル信号処理回路５から入力した現在の読み取り位置情報を、事前に記録用ＭＤ１から読み出しておいた管理情報（ＵＴＯＣ情報）と照合し、読み取り中であった連続記録区間のエンド位置近くか否か判別し、エンド位置近くの場合、無条件に基準量Ｗを大きくさせるようにしたが、図２を図６の如く変形し、とくにステップＳ１７でＹＥＳとなったとき、続いて、ＵＴＯＣ情報を参照して次に再生すべき連続記録区間が存在するか判別し（図６のステップＳ７０）、なければステップＳ１８に進んでＷ1 を出力するようにし、有れば更に、今まで読み取りを行っていた連続記録区間のエンド位置と次に再生すべき連続記録区間のスタート位置とが記録用ＭＤ１の上で物理的に繋がっているか否か判別し（ステップＳ７１）、ＹＥＳであればステップＳ１８へ進み、ＮＯであれば、ステップＳ２３に進んでＷ2 を出力するようにしても良い。
【００５４】
図６によれば、連続記録区間のエンド位置近くでない箇所を再生中、または、連続記録区間のエンド位置近くであるが、次に再生すべき連続記録区間のスタート位置が離れておらず、直ぐにサーチ可能な場合、読み取り系の休止期間が長くなるとともに、稼働と休止のサイクル周期が長くなるので、電力消費を抑制できる。また、たまたま、ＤＲＡＭ１４が圧縮音楽データで満杯になったとき、読み取り中であった連続記録区間のエンド位置近くであり、かつ、次に読み取るべき連続記録区間のスタート位置が離れていても、ＤＲＡＭ１４に残データが存在する間に確実にサーチを完了して読み取りを再開でき、音切れが生じない。
なお、図６のステップＳ１７の判別基準も何ら２クラスタ以内に限定されるものでなく、３クラスタ以内、４クラスタ以内など他の範囲でもよく、要はポーズ位置が読み取りしていた連続記録区間のエンド位置から一定以内の近くか判別できれば良い。
【００５５】
また、光ディスクとしてＭＤを例に挙げて説明したが、プログラム領域に非圧縮音楽データの記録されたＤＶＤ−ＲＡＭなど他の種類の光ディスクであっても良い。
【００５６】
【発明の効果】
請求項１記載の発明によれば、光ディスクに記録された各情報単位が、各々、アドレス順にデータが連続的に記録された１つの連続記録区間で構成されるかまたは組み合わせ順序が決められた複数の連続記録区間の組み合わせで構成されており、光ディスクから現在読み取り中の連続記録区間の読み取りが終れば、引き続き次の連続記録区間の読み取りをする場合において、現在の読み取り位置が、読み取り中の連続記録区間の終了位置から一定以内に入っていれば、記憶手段が記録データで満杯になり、読み取りを休止したあと再開するための記憶手段の残データ量の基準量Ｗが大きくされる。よって、読み取り中に記憶手段が記録データで満杯になり読み取りを休止したとき、読み取り位置がたまたま読み取り中の連続記録区間の終了位置から一定以内に入っていれば、基準量Ｗが大きくなることにより早めに読み取り系の稼働が再開されるので、読み取り再開後に直ぐに連続記録区間の終了位置まで来て、次に読み取るべき連続記録区間の先頭をサーチしなければならない場合に、当該次に読み取るべき連続記録区間の先頭位置が離れていても、記憶手段に残データが存在する間に確実に、次に読み取るべき連続記録区間の先頭のサーチを完了して読み取りを再開でき、音切れが生じない。但し、Ｗが大きいままだと、読み取り系の稼働と休止のサイクル周期が短くなり、また、１回当たりの休止期間も短くなるので、電力消費の抑制が難しくなってしまうが、請求項１記載の発明では、現在の読み取り位置が、読み取り中の連続記録区間の終了位置から一定以内に入っていないときは基準量Ｗが小さくなる。基準量Ｗが小さくなると、記憶手段が記録データで満杯になってからの読み取り系の休止期間が長くなるとともに、稼働と休止のサイクル周期も長くなり、電力消費を大きく抑制することができる。
請求項２記載の発明によれば、光ディスクに記録された各情報単位が、各々、アドレス順にデータが連続的に記録された１つの連続記録区間で構成されるかまたは組み合わせ順序が決められた複数の連続記録区間の組み合わせで構成されており、光ディスクから現在読み取り中の連続記録区間の読み取りが終れば、引き続き次の連続記録区間の読み取りをする場合において、現在の読み取り位置が、読み取り中の連続記録区間の終了位置から一定以内に入っていないときは基準量Ｗが小さくなる。よって、記憶手段が記録データで満杯になってからの読み取り系の休止期間が長くなるとともに、稼働と休止のサイクル周期も長くなり、電力消費を大きく抑制することができる。現在の読み取り位置が、読み取り中の連続記録区間の終了位置から一定以内に入っており、次に読み取るべき連続記録区間の先頭位置から一定以上離れているときは、記憶手段が記録データで満杯になり、読み取りを休止したあと再開するための記憶手段の残データ量の基準量Ｗが大きくなる。よって、読み取り中に記憶手段が記録データで満杯になり読み取りを休止したとき、読み取り位置がたまたま読み取り中の連続記録区間の終了位置から一定以内に入っており、かつ前記終了位置が次に読み取るべき連続記録区間の先頭位置から離れているときは、基準量Ｗが大きくなることにより早めに読み取り系の稼働が再開されるので、読み取り再開後に直ぐに連続記録区間の終了位置まで来て、次に読み取るべき連続記録区間の先頭をサーチしなければならない場合でも、記憶手段に残データが存在する間に確実に、次に読み取るべき連続記録区間の先頭のサーチを完了して読み取りを再開でき、音切れが生じない。現在の読み取り位置が、読み取り中の連続記録区間の終了位置から一定以内に入っているが、前記終了位置が次に読み取るべき連続記録区間の先頭位置から離れていない場合は、記憶手段が記録データで満杯になり、読み取りを休止したあと再開するための記憶手段の残データ量の基準量Ｗは小さいままとされるので、読み取り系の休止期間が長くなるとともに、稼働と休止のサイクル周期が長くなり、電力消費を抑制できる。
【図面の簡単な説明】
【図１】本発明の一つの実施の形態に係る携帯用ＭＤプレーヤのブロック図である。
【図２】図１中のシステムコントローラによる再生制御処理を示すフローチャートである。
【図３】図１中のシステムコントローラによる再生制御処理を示すフローチャートである。
【図４】図１中のショックプルーフメモリコントローラによる書き込み／読み出し制御処理を示すフローチャートである。
【図５】図１中のショックプルーフメモリコントローラによる書き込み／読み出し制御処理を示すフローチャートである。
【図６】図２の変形例を示すフローチャートである。
【図７】記録用ＭＤの記録内容の説明図である。
【図８】記録用ＭＤの記録内容の説明図である。
【符号の説明】
１  再生用ＭＤ                    ２  スピンドルモータ
３  光ピックアップ                ３ａ  対物レンズ
３ｂ  トラッキングアクチュエータ  ３ｃ  フォーカスアクチュエータ
４  ヘッドアンプ                  ５  ディジタル信号処理回路
６  フォーカス制御回路            ７、９、１２  ドライバ
８  トラッキング制御回路          １０  フィルタ
１１  スレッド制御回路            １４  ＤＲＡＭ
１５  ショックプルーフメモリコントローラ
１６  ＡＴＲＡＣデコーダ          １７  Ｄ／Ａ変換器
１８  システムコントローラ
【図１】
0003626027.tif 000002
【図２】
0003626027.tif 000003
【図３】
0003626027.tif 000004
【図４】
0003626027.tif 000005
【図５】
0003626027.tif 000006
【図６】
0003626027.tif 000007
【図７】
0003626027.tif 000008
【図８】
0003626027.tif 000009